(57)【要約】【課題】操作ハンドルが取付位置からずれて取り付けられる施工ミスを生じにくく、且つ操作ハンドルの取り付けの作業性がよいスイッチ用プレートを提供する。【解決手段】プレート枠１１は、取付窓１５に複数個まで装着可能な単位寸法のスイッチ本体３をそれぞれ取付可能な取付部が取付窓１５に複数並設され、取付窓１５に装着可能な単位寸法のスイッチ本体３の最大個数に応じて操作ハンドル２を取付可能な取付位置が決まっている。プレート枠１１は、化粧プレートを装着するための係止孔２３を具備した外枠部３０を操作ハンドル２の取付位置の周囲に有し、操作ハンドル２の取付位置を示すマークＭ１〜Ｍ３を、外枠部３０における取付位置の境界線の延長線上に有する。【選択図】図１
2008159278.tif 000002
【特許請求の範囲】
【請求項１】
直方体状の器体内に接点装置を有したスイッチ本体が装着される取付窓を有し施工面に形成された施工孔にスイッチ本体の後部を埋め込む形で施工孔の周囲の全周に亘り施工面に背面を当接させて固定されるプレート枠と、操作面がスイッチ本体の前面よりも大きい寸法に形成されスイッチ本体の前面側に取り付けられた操作ハンドルを露出させる露出窓を有しプレート枠の前面側に装着される化粧プレートとを備え、プレート枠は、取付窓に複数個まで装着可能な単位寸法のスイッチ本体をそれぞれ取付可能な取付部が取付窓に複数並設され、取付窓に装着可能な単位寸法のスイッチ本体の最大個数に応じて操作ハンドルを取付可能な取付位置が決まっており、化粧プレートを装着する装着手段を具備した外枠部を前記取付位置の周囲に有し、前記取付位置を示す位置表示手段を、外枠部における取付位置の境界線の延長線上に有することを特徴とするスイッチ用プレート。
【請求項２】
前記位置表示手段は、対応する前記取付位置に前記操作ハンドルを取り付けた場合において取付可能な操作ハンドルの最大個数を数字で表す個数表示部を有することを特徴とする請求項１記載のスイッチ用プレート。
【請求項３】
前記位置表示手段は、前記個数表示部ごとに、前記取付位置の境界線に沿った直線状の線表示部を有することを特徴とする請求項２記載のスイッチ用プレート。
【請求項４】
前記取付窓には、前記取付部が３個以上の所定の奇数個並設されており、前記位置表示手段は、取付窓において前記スイッチ本体の並設方向の中心となる位置に数字以外のセンターマークを有し、センターマーク以外の位置に前記個数表示部を有することを特徴とする請求項２または請求項３記載のスイッチ用プレート。
【発明の詳細な説明】
【技術分野】
【０００１】
本発明は、スイッチ本体に操作ハンドルが取り付けられた構成のスイッチを、施工面に形成された施工孔に後部を埋め込む形で設置するために用いられるスイッチ用プレートに関するものである。
【背景技術】
【０００２】
従来から、この種のスイッチ用プレートとして、図９に示すように、直方体状の器体６内に接点装置（図示せず）を有したスイッチ本体３が装着される長方形状の取付窓１５を有し、施工面に形成された施工孔（図示せず）にスイッチ本体３の後部を埋め込む形で施工孔の周囲の全周に亘り施工面に背面を当接させて固定されるプレート枠１１を備えたものが知られている。プレート枠１１の前面側には、スイッチ本体３の前面側に取り付けられた操作ハンドル２を露出させる露出窓２２を有した化粧プレート１２（図２参照）が着脱可能に装着され、この化粧プレート１２とプレート枠１１とでスイッチ用プレート１が構成される（たとえば特許文献１参照）。
【０００３】
ここで、図９に示すスイッチＳＷは、操作ハンドル２の操作面２ａをスイッチ本体３の前面よりも大きい寸法に形成することにより操作性を向上した所謂ワイドハンドル形スイッチである。この種のスイッチＳＷは、一般に、操作ハンドル２を外した状態のスイッチ本体３の前端部をプレート枠１１の背面側から取付窓１５内に挿入することでスイッチ本体３を取付窓１５に装着し、プレート枠１１を施工面に取り付けた後、操作ハンドル２をスイッチ本体３の前面側に装着することにより設置される。
【０００４】
ところで、特許文献１に記載されたプレート枠１１は、取付窓１５に複数個（図９では３個）まで装着可能な単位寸法のスイッチ本体３をそれぞれ取付可能な取付孔１９（図２参照）が、取付窓１５の内側面に複数組並設されている。ここに、上述した（ワイドハンドル形）スイッチＳＷをスイッチ用プレート１に装着する場合には、取付窓１５に装着可能な単位寸法のスイッチ本体３の最大個数に応じて操作ハンドル２を取付可能な取付位置が決まっている。
【０００５】
すなわち、取付窓１５に単位寸法のスイッチ本体３を３個まで装着可能なプレート枠１１においては、スイッチＳＷを１個あるいは２個装着する場合に、各操作ハンドル２はそれぞれ取付対象のスイッチ本体３と取付窓１５の長手方向における中心が一致する取付位置に取り付けられ、スイッチＳＷを３個装着する場合に、図９（ａ）のように、中央の操作ハンドル２は取付対象のスイッチ本体３と取付窓１５の長手方向における中心が一致する取付位置に取り付けられ、両端の操作ハンドル２は取付窓１５の長手方向における中心が取付対象のスイッチ本体３の中心よりも外側（つまり、図９（ａ）の上端の操作ハンドル２においては上方、図９（ａ）の下端の操作ハンドル２においては下方）となる取付位置に取り付けられる。
【０００６】
ここにおいて、スイッチＳＷを３個装着する場合には上述のようにプレート枠１１に対するスイッチ本体３の装着位置によってスイッチ本体３と操作ハンドル２との相対的な位置が異なるが、全てのスイッチ本体３に共通して使用可能な操作ハンドル２が提供されている。この操作ハンドル２は、背面側において図１０（ａ）に示すようにスイッチ本体３に取り付けるための係合突片２６をスイッチ本体３の並設方向に複数有しており、これら複数の係合突片２６の中から、スイッチ本体３の装着位置ごとに決められた係合突片２６を用いて反転ハンドル９に取り付けられる。ここで、操作ハンドル２はスイッチ本体３の並設方向にも位置決めされる。
【０００７】
ただし、上述の構成によれば、個々のスイッチＳＷにおいては誤った係合突片２６を用いてもスイッチ本体３に操作ハンドル２が取付可能であって、たとえば図９（ａ）で下端に取り付けられる操作ハンドル２においては、誤った係合突片２６を用いて取り付けられることにより、図１０（ａ）に示す取付位置から中央のスイッチ本体３側にずれて、図１０（ｂ）のように取付対象のスイッチ本体３と取付窓１５の長手方向における中心が一致する位置に取り付けられることがある。操作ハンドル２が取付位置からずれて取り付けられると、操作ハンドル２を正しい取付位置に付け直す必要があり面倒である。
【０００８】
一方、図１１に示すように、スイッチ本体３が装着される長方形状の開口部２７を有し、施工孔にスイッチ本体３の後部を埋め込む形で施工面に対して位置固定される取付枠２８においては、操作ハンドル２が取付位置からずれて取り付けられる施工ミスを生じにくくするため、開口部２７の周囲に操作ハンドル２の取付位置を示す目印部２９を具備したものが提案されている（たとえば特許文献２参照）。ここで、取付枠２８は、長手方向の両端部を除く大部分を施工孔の範囲内に収めるように取り付けられるものであって、幅寸法が施工孔と同程度に設定されている。そのため、上述したようにスイッチ本体３の前面よりも大きい寸法に形成された操作ハンドル２が取り付けられた状態では、長手方向の両端部を除く大部分が操作ハンドル２に覆われる。
【特許文献１】特開２００６−２０２７１６号公報（第７頁）
【特許文献２】特開２００３−２１９５３２号公報（第４−５頁、図６）
【発明の開示】
【発明が解決しようとする課題】
【０００９】
ところで、特許文献２に記載の取付枠２８では、操作ハンドル２を取り付けると目印部２９が操作ハンドル２に覆われてしまうから、操作ハンドル２を取り付けた後で操作ハンドル２が取付位置からずれて取り付けられているか否かを確認することはできない。そのため、複数個の操作ハンドル２を取り付ける場合に、１個の操作ハンドル２が取付位置からずれて取り付けられると、この操作ハンドル２が取付位置からずれていることに気付かれないまま他の操作ハンドル２についても取付位置からずれて取り付けられ、結果的に、複数個の操作ハンドル２を正しい取付位置に付け直す作業が必要となる可能性があり、操作ハンドル２の取り付けの作業性が悪いという問題がある。
【００１０】
本発明は上記事由に鑑みて為されたものであって、操作ハンドルが取付位置からずれて取り付けられる施工ミスを生じにくく、且つ操作ハンドルの取り付けの作業性がよいスイッチ用プレートを提供することを目的とする。
【課題を解決するための手段】
【００１１】
請求項１の発明では、直方体状の器体内に接点装置を有したスイッチ本体が装着される取付窓を有し施工面に形成された施工孔にスイッチ本体の後部を埋め込む形で施工孔の周囲の全周に亘り施工面に背面を当接させて固定されるプレート枠と、操作面がスイッチ本体の前面よりも大きい寸法に形成されスイッチ本体の前面側に取り付けられた操作ハンドルを露出させる露出窓を有しプレート枠の前面側に装着される化粧プレートとを備え、プレート枠は、取付窓に複数個まで装着可能な単位寸法のスイッチ本体をそれぞれ取付可能な取付部が取付窓に複数並設され、取付窓に装着可能な単位寸法のスイッチ本体の最大個数に応じて操作ハンドルを取付可能な取付位置が決まっており、化粧プレートを装着する装着手段を具備した外枠部を前記取付位置の周囲に有し、前記取付位置を示す位置表示手段を、外枠部における取付位置の境界線の延長線上に有することを特徴とする。
【００１２】
この構成によれば、プレート枠が、操作ハンドルを取付可能な取付位置を示す位置表示手段を有するから、位置表示手段に従って操作ハンドルを取り付けることにより、操作ハンドルが取付位置からずれて取り付けられる施工ミスを生じにくくなる。しかも、位置表示手段は、取付位置の周囲の外枠部に設けられているので、操作ハンドルを取り付けた状態でも操作ハンドルで覆われることはなく、操作ハンドルを取り付けた後であっても、操作ハンドルが取付位置からずれて取り付けられているか否かを確認することができる。したがって、複数個の操作ハンドルを取り付ける場合に、１個の操作ハンドルが取付位置からずれていることに気付かれないまま他の操作ハンドルについても取付位置からずれて取り付けられることを回避でき、結果的に、複数個の操作ハンドルを取り付けてから、これら複数個の操作ハンドルを正しい取付位置に付け直す場合に比べて、容易に操作ハンドルを付け直すことができ、操作ハンドルの取り付けの作業性が向上する。
【００１３】
請求項２の発明は、請求項１の発明において、前記位置表示手段が、対応する前記取付位置に前記操作ハンドルを取り付けた場合において取付可能な操作ハンドルの最大個数を数字で表す個数表示部を有することを特徴とする。
【００１４】
この構成によれば、取り付けようとする操作ハンドルの個数に対応した数字を表す個数表示部に従って操作ハンドルを取り付けることにより、操作ハンドルの取付位置を間違える施工ミスを回避することができ、操作ハンドルの取り付けの作業性がより向上する。
【００１５】
請求項３の発明は、請求項２の発明において、前記位置表示手段が、前記個数表示部ごとに、前記取付位置の境界線に沿った直線状の線表示部を有することを特徴とする。
【００１６】
この構成によれば、線表示部によって個数表示部の表している取付位置が明確になるので、個数表示部の読み間違いを回避することができる。また、線表示部によって取付位置の境界線が明確になるので、操作ハンドルを取り付ける際の操作ハンドルの位置合わせが容易になる。
【００１７】
請求項４の発明は、請求項２または請求項３記載の発明において、前記取付窓には、前記取付部が３個以上の所定の奇数個並設されており、前記位置表示手段が、取付窓において前記スイッチ本体の並設方向の中心となる位置に数字以外のセンターマークを有し、センターマーク以外の位置に前記個数表示部を有することを特徴とする。
【００１８】
この構成によれば、取付窓においてスイッチ本体の並設方向の中心となる位置には数字以外のセンターマークを有するので、全ての取付位置の境界線の延長線上に個数表示部を有する場合に比べて位置表示手段による取付位置の表示が単純になり、施工者においては操作ハンドルの取付位置を容易に理解できるという利点がある。
【発明の効果】
【００１９】
本発明は、プレート枠の外枠部における取付位置の境界線の延長線上に設けた位置表示手段に従って操作ハンドルを取り付けることにより、操作ハンドルが取付位置からずれて取り付けられる施工ミスを生じにくくなる。しかも、位置表示手段は、取付位置の周囲の外枠部に設けられているので、操作ハンドルを取り付けた後であっても、操作ハンドルが取付位置からずれて取り付けられているか否かを確認することができ、操作ハンドルの取り付けの作業性が向上する。
【発明を実施するための最良の形態】
【００２０】
以下の各実施形態ではスイッチ用プレート１として、図２に示すように、操作ハンドル２の操作面２ａをスイッチ本体３の前面よりも大きく形成することにより操作性を向上したスイッチＳＷ（所謂ワイドハンドル形スイッチ）を、施工面（図示せず）に形成された施工孔（図示せず）に取り付けるために用いられるスイッチ用プレート１を例示する。以下では、スイッチ用プレート１およびスイッチＳＷを図２（ｂ）の向きで施工面に取り付けるものとし、図２（ｂ）の上下方向を上下方向として説明するが、施工面に対するスイッチ用プレート１およびスイッチＳＷの取り付け方向はこの例に限るものではない。
【００２１】
以下に、スイッチＳＷの構成について説明する。
【００２２】
このスイッチＳＷは、図２に示すように、前面開口の直方体状のボディ４とボディ４の前面側に結合されるカバー５とで構成された器体６内に接点装置（図示せず）を収納したスイッチ本体３を有し、このスイッチ本体３の前面側に操作ハンドル２が着脱自在に取り付けられて成る。ボディ４の長手方向に沿った各側面には、それぞれボディ４の長手方向に並ぶ各一対の組立突起７が突設され、カバー５の後端縁からは組立片８が後方に延設され、組立片８に設けた組立孔８ａに組立突起７を係合させることによりボディ４とカバー５とが結合される。
【００２３】
カバー５の前壁の中央部に開口した開口窓（図示せず）には、接点装置を開閉させる反転ハンドル９（図９（ｂ）参照）がカバー５に対して揺動自在に枢着され、この反転ハンドル９の揺動に伴って接点装置が開閉する。操作ハンドル２はこの反転ハンドル９の前面側に着脱自在に取り付けられ、操作ハンドル２を揺動させることにより反転ハンドル９が揺動して接点装置が開閉する。反転ハンドル９および操作ハンドル２はいずれも合成樹脂製であって、反転ハンドル９の揺動方向（左右方向）の各端面にそれぞれ突設された結合爪１０を、操作ハンドル２の背面側に突設されている係合突片２６（図１０参照）の先端部に設けた係合爪２６ａ（図１０参照）に係合させることで、操作ハンドル２が反転ハンドル９に取り付けられる。
【００２４】
具体的には、係合突片２６は左右方向に対向する形で少なくとも一対設けられ、係合爪２６ａは対向する係合突片２６の先端部から互いに近づく向きに延設されている。結合爪１０は反転ハンドル９の各端面において上下方向に一対ずつ並設されており、操作ハンドル２が対となる係合突片２６の間に反転ハンドル９を挟むように反転ハンドル９に取り付けられた状態で、各一対の結合爪１０が各係合爪２６にそれぞれ引っ掛かることにより操作ハンドル２が反転ハンドル９に取り付けられる。ここで、操作ハンドル２は上下方向にも位置決めされる。
【００２５】
（実施形態１）
本実施形態のスイッチ用プレート１は、スイッチ本体３を保持して施工孔の内部に配設される埋込ボックス（図示せず）に取り付けられるプレート枠１１と、プレート枠１１の前面側にプレート枠１１を覆う形で装着される化粧プレート１２とで構成されている。
【００２６】
プレート枠１１は、図１（ａ）に示すように、互いに対向する一対の縦枠１３と、一対の縦枠１３の各端部同士を連結する一対の横枠１４とで矩形枠状に形成されており、縦枠１３および横枠１４で囲まれた部位にスイッチ本体３が装着される長方形状の取付窓１５を有する。ここで、取付窓１５の長手方向である上下方向に対向する一対の横枠１４においては、それぞれ長手方向の中央部に施工面に埋設された埋込ボックスにプレート枠１１を取り付けるためのボックスねじ（図示せず）を挿通する長孔１６が貫設されている。長孔１６の両側には、施工面を構成する壁パネル等の造営材（図示せず）をプレート枠１１との間に挟持する周知の挟み金具（図示せず）の一部を係止させる挟み金具用孔１７が貫設されている。さらに、各挟み金具用孔１７に対して取付窓１５と反対側には、プレート枠１１を施工面に直付けするためのねじ（図示せず）を挿通するねじ挿通孔１８がそれぞれ形成されている。
【００２７】
また、図２に示すように、各縦枠１３のうち取付窓１５に臨む部位には、縦枠１３の長手方向に並んだ各一対の取付孔１９が上下方向に３組ずつ列設されている。各一対の取付孔１９は対向する各一対の取付孔１９と共に、取付窓１５における長手方向の３分の１の寸法（以下、「単位寸法」という）に形成されたスイッチ本体３をそれぞれ取付可能な取付部を構成する。ここに、スイッチ本体３の器体６における左右方向の両側面には取付孔１９に対応する位置に取付爪２０が突設されており、この取付爪２０が取付孔１９に嵌るようにスイッチ本体３の前端部をプレート枠１１の後方から取付窓１５内に挿入することで、スイッチ本体３が取付窓１５に装着される。ここで、取付窓１５の長手方向には取付孔１９が３組並設されているので、取付窓１５に単位寸法のスイッチ本体３を最大３個装着することができる。なお、スイッチ本体３の器体６における左右方向の一方の側面においては、一対の溝２１（図９（ｂ）参照）を設けることで取付爪２０が突設された部位に可撓性が付与されており、この部位を撓ませることで取付爪２０と取付孔１９との係合を解除すればスイッチ本体３をプレート枠１１から取り外すことができる。
【００２８】
化粧プレート１２は図２に示すように矩形枠状に形成されており、中央部に長方形状に開口した露出窓２２を通して、スイッチ本体３に取り付けられた操作ハンドル２を露出させる。プレート枠１１および化粧プレート１２はいずれも合成樹脂製であって、化粧プレート１２の背面の四隅からそれぞれ後方に突設された係止片（図示せず）を、プレート枠１１の四隅に形成された装着手段としての係止孔２３（図１（ａ）参照）にそれぞれ挿入して係止させることで、化粧プレート１２がプレート枠１１に装着される。さらに、各縦枠１３のうち幅方向において係止孔２３よりも取付窓１５側の部位には、それぞれ取付窓１５の開口周縁に沿って補強用のリブ２４が立設されている。
【００２９】
一方、操作面２ａをスイッチ本体３の前面よりも大きく形成したワイドハンドルとして周知の操作ハンドル２には、上述のプレート枠１１に単位寸法のスイッチ本体３を３個装着するときに用いる３個用の操作ハンドル２（以下、「基準寸法の操作ハンドル」という）と、基準寸法の操作ハンドル２に比較して上下方向の寸法が１．５倍であって上述のプレート枠１１に単位寸法のスイッチ本体３を２個装着するときに用いる２個用の操作ハンドル２と、基準寸法の操作ハンドル２に比較して上下方向の寸法が３倍であって上述のプレート枠１１に単位寸法のスイッチ本体３を１個装着するときに用いる１個用の操作ハンドル２とがある。つまり、１個用の操作ハンドル２は１個で上述の化粧プレート１２の露出窓２２を埋める大きさに形成され、２個用の操作ハンドル２は２個並設されることにより同化粧プレート１２の露出窓２２を埋める大きさに形成され、３個用（基準寸法）の操作ハンドル２は３個並設されることにより同化粧プレート１２の露出窓２２を埋める大きさに形成されたものである。
【００３０】
ところで、本実施形態のスイッチ用プレート１は、取付窓１５に装着可能な単位寸法のスイッチ本体３の最大個数に応じて操作ハンドル２を取付可能な取付位置が決まっている。すなわち、本実施形態のプレート枠１１は取付窓１５に単位寸法のスイッチ本体３を３個まで装着可能な寸法に形成されているから、たとえばスイッチＳＷを３個装着する場合に、図２（ａ）に示すように中央の操作ハンドル２は取付対象のスイッチ本体３と上下方向の中心が一致する取付位置に取り付けられ、両端の操作ハンドル２は上下方向の中心が取付対象のスイッチ本体３における上下方向の中心よりも外側（つまり、上端の操作ハンドル２においては上方、下端の操作ハンドル２においては下方）となる取付位置に取り付けられる。なお、このとき用いる操作ハンドル２は上述した３個用（基準寸法）の操作ハンドル２である。
【００３１】
このように、３個用の操作ハンドル２においては、プレート枠１１に対するスイッチ本体３の装着位置によってスイッチ本体３と操作ハンドル２との相対的な位置が異なるが、本実施形態では全てのスイッチ本体３に共通して使用可能な操作ハンドル２を採用している。具体的には、操作ハンドル２の背面側に設けられた各一対の係合突片２６は上下方向に３組並設されており、操作ハンドル２は、スイッチ本体３の装着位置ごとに決められた係合突片２６を用いて反転ハンドル９に取り付けられる。ここに、中央の係合突片２６に設けられた係合爪２６ａは上下方向の寸法が一対の結合爪１０の間隔以上に形成されており、両端の係合突片２６に設けられた係合爪２６ａにおいては上下方向の寸法が中央の係合突片２６の係合爪２６ａに比べて小さく形成されている。そして、中央の操作ハンドル２は、中央の係合突片２６の係合爪２６ａを用いて反転ハンドル９に取り付けられ、両端の操作ハンドル２においては、いずれか一方の端の係合突片２６の係合爪２６ａおよび中央の係合突片２６の係合爪２６ａを用いて反転ハンドル９に取り付けられる。
【００３２】
なお、ここで両端の操作ハンドル２においては、一端側の係合突片２６が反転ハンドル９との結合に使用され、他端側の係合突片２６がプレート枠１１の取付窓１５の外にはみ出すことになるが、はみ出した係合突片２６はプレート枠１１の挟み金具用孔１７に挿入されることでプレート枠１１には干渉しない。
【００３３】
また、スイッチＳＷを２個装着する場合には、図３（ｃ）に示すように取付窓１５の中央を空けてスイッチ本体３が装着され、両操作ハンドル２はそれぞれ取付対象のスイッチ本体３と上下方向の中心が一致する取付位置に取り付けられる。なお、このとき用いる操作ハンドル２は上述した２個用の操作ハンドル２である。さらにまた、スイッチＳＷを１個装着する場合には、図４（ｃ）に示すように取付窓１５の中央にスイッチ本体３が装着され、図４（ｂ）に示すように操作ハンドル２は取付対象のスイッチ本体３と上下方向の中心が一致する取付位置に取り付けられる。なお、このとき用いる操作ハンドル２は上述した１個用の操作ハンドル２である。
【００３４】
ところで、プレート枠１１は、操作ハンドル２の取付位置の周囲に外枠部３０を有し、この外枠部３０に上記係止孔２３が形成されている。ここでは操作ハンドル２は、左右方向において両縦枠１３に設けた一対のリブ２４の間に収まるように配置されるので、各縦枠１３においては、それぞれリブ２４に対して左右方向に取付窓２５と反対側の部位およびリブ２４が外枠部３０となる。外枠部３０は取付位置の周囲に設けられているので、操作ハンドル２を取り付けた状態でも操作ハンドル２に覆われることはない。
【００３５】
ここにおいて、スイッチＳＷは、操作ハンドル２を外した状態のスイッチ本体３の前端部をプレート枠１１の背面側から取付窓１５内に挿入することでスイッチ本体３を取付窓１５に装着し、プレート枠１１を施工面に取り付けた後、操作ハンドル２をスイッチ本体３の前面側に装着することにより設置される。しかし、この種のスイッチＳＷにおいては、操作ハンドル２によってスイッチ本体３の前面が隠れてしまうから、操作ハンドル２の取付時に操作ハンドル２の取付位置が分かり難く、操作ハンドル２が取付位置からずれて取り付けられる施工ミスを生じる可能性がある。
【００３６】
そこで、本実施形態のプレート枠１１は、図１（ａ）に示すように、操作ハンドル２の取付位置を示す位置表示手段としてのマークＭ１〜Ｍ３を取付位置の周囲の外枠部３０に有している。各マークＭ１〜Ｍ３は、各縦枠１３における取付位置の境界線の延長線上にそれぞれ設けられている。ここでは、各リブ２４上に取付窓１５の長手方向に沿って３つのマークＭ１〜Ｍ３がそれぞれ並設されている。各マークＭ１〜Ｍ３は、刻印を用いて縦枠１３に凹凸形状を形成することで付与されている。ただしこの例に限らず、たとえばレーザ印字や印刷などにより各マークＭ１〜Ｍ３が付与されていてもよい。ここに、３つのマークＭ１〜Ｍ３のうち両端の丸状のマークＭ１，Ｍ３は、図１（ｂ）に示すようにスイッチＳＷを３個装着する場合における操作ハンドル２の取付位置の境界線の延長線上にそれぞれ設けられており、中央の三角形状のマークＭ２は、図３（ａ）に示すようにスイッチＳＷを２個装着する場合における操作ハンドル２の取付位置の境界線の延長線上に設けられている。
【００３７】
したがって、スイッチＳＷを３個装着する場合には、両端のマークＭ１，Ｍ３に従い、上下方向において各操作ハンドル２の端縁を両端のマークＭ１，Ｍ３のいずれか一方に合わせるように操作ハンドル２を取り付けることにより、操作ハンドル２が取付位置からずれて取り付けられる施工ミスが生じにくくなる。また、スイッチＳＷを２個装着する場合には、中央のマークＭ２に従い、上下方向において各操作ハンドル２の端縁を中央のマークＭ２に合わせるように操作ハンドル２を取り付けることにより、操作ハンドル２が取付位置からずれて取り付けられる施工ミスが生じにくくなる。
【００３８】
しかも、マークＭ１〜Ｍ３は、操作ハンドル２を取り付けた状態でも操作ハンドル２で覆われない外枠部３０に設けられているので、操作ハンドル２を取り付けた後であっても、操作ハンドル２が取付位置からずれて取り付けられているか否かを確認することができる。したがって、複数個の操作ハンドル２を取り付ける場合に、１個の操作ハンドル２が取付位置からずれていることに気付かれないまま他の操作ハンドル２についても取付位置からずれて取り付けられる事態を回避できる。その結果、複数個の操作ハンドル２を取り付けてから、これら複数個の操作ハンドル２を正しい取付位置に付け直す場合に比べて、容易に操作ハンドル２を付け直すことができ、操作ハンドル２の取り付けの作業性が向上する。
【００３９】
なお、スイッチＳＷを１個だけ装着する場合には、操作ハンドル２はプレート枠１１の中央に１個取り付けられるだけであるから、特にマークがなくても、取付位置からずれて操作ハンドル２が取り付けられることは少ない。ただ、図４（ａ）に示すように操作ハンドル２の操作面２ａのうち揺動方向の各端部の中央に、操作ハンドル２の操作位置を表す突起２５が設けられている場合には、この突起２５を中央のマークＭ２に合わせるように中央のマークＭ２に従って操作ハンドル２を取り付けるようにしてもよい。
【００４０】
（実施形態２）
本実施形態のスイッチ用プレート１は、図５に示すように、位置表示手段が、対応する取付位置に操作ハンドル２を取り付けた場合に取付可能となる操作ハンドル２の最大個数を数字で表した個数表示部Ｎ１〜Ｎ３を有する点が実施形態１のスイッチ用プレート１と相違する。図５の例では、実施形態１で示したマークＭ１〜Ｍ３に代えて個数表示部Ｎ１〜Ｎ３がリブ２４上に設けられている。その他の構成および機能は実施形態１と同様である。なお、図５（ａ）〜（ｄ）にはそれぞれ、スイッチＳＷが装着されていないプレート枠１１、スイッチＳＷを３個装着したプレート枠１１、スイッチＳＷを２個装着したプレート枠１１、スイッチＳＷを１個装着したプレート枠１１を示す。
【００４１】
すなわち、本実施形態では、図５（ｂ）に示すようにスイッチＳＷを３個装着する場合における操作ハンドル２の取付位置の境界線の延長線上には、それぞれ「３」と表示された個数表示部Ｎ１，Ｎ３を設け、図５（ｃ）に示すようにスイッチＳＷを２個装着する場合における操作ハンドル２の取付位置の境界線の延長線上には、「２」と表示された個数表示部Ｎ２を設けている。
【００４２】
この構成によれば、スイッチＳＷを３個装着する場合には、「３」と表示された個数表示部Ｎ１，Ｎ３に従って操作ハンドル２を装着すればよく、一方、スイッチＳＷを２個装着する場合には、「２」と表示された個数表示部Ｎ２に従って操作ハンドル２を装着すればよく、複数の位置表示手段の中から使用する位置表示手段を容易に見分けることができる。したがって、操作ハンドル２の取付位置を間違える施工ミスを容易に回避することができ、操作ハンドル２の取り付けの作業性がより向上する。
【００４３】
また、図６に示すように、各個数表示部Ｎ１〜Ｎ３ごとに操作ハンドル２の取付位置の境界線に沿った直線状の線表示部Ｌ１〜Ｌ３を付加し、個数表示部Ｎ１〜Ｎ３と線表示部Ｌ１〜Ｌ３とで位置表示手段を構成するようにしてもよい。なお、図６（ａ）〜（ｃ）にはそれぞれ、スイッチＳＷが装着されていないプレート枠１１、スイッチＳＷを２個装着したプレート枠１１、スイッチＳＷを１個装着したプレート枠１１を示す。この構成によれば、線表示部Ｌ１〜Ｌ３によって個数表示部Ｎ１〜Ｎ３の表している取付位置が明確になるので、個数表示部Ｎ１〜Ｎ３の読み間違いを回避することができる。さらにここでは、図７に示すように各リブ２４上に線表示部Ｌ１〜Ｌ３を設け、縦枠１３のうち幅方向においてリブ２４に対して取付窓１５とは反対側の部位に個数表示部Ｎ１〜Ｎ３を設けている。このように、線表示部Ｌ１〜Ｌ３と個数表示部Ｎ１〜Ｎ３とを取付窓１５の幅方向に並設する場合には、線表示部Ｌ１〜Ｌ３を取付窓１５側とする方が、個数表示部Ｎ１〜Ｎ３を取付窓１５側とするよりも、操作ハンドル２を取り付ける際の操作ハンドル２の位置合わせが容易になる。
【００４４】
上述した実施形態では、スイッチＳＷを３個装着する場合における操作ハンドル２の取付位置の境界線の延長線上と、スイッチＳＷを２個装着する場合における操作ハンドル２の取付位置の境界線の延長線上とのいずれにも個数表示部Ｎ１〜Ｎ３を設けているが、図８に示すように、スイッチＳＷを３個装着する場合における操作ハンドル２の取付位置の境界線の延長線上にのみそれぞれ「３」と表示された個数表示部Ｎ１，Ｎ３を設け、スイッチＳＷを２個装着する場合における操作ハンドル２の取付位置の境界線の延長線上においては、数字以外のセンターマークＣを設けるようにしてもよい。センターマークＣとしては、ここでは三角形状のマークを採用している。このように位置表示手段が取付窓１５においてスイッチ本体３の並設方向の中心となる位置に数字以外のセンターマークＣを有する構成では、全ての取付位置の境界線の延長線上に個数表示部Ｎ１〜Ｎ３を有する場合に比べて位置表示手段による取付位置の表示が単純になり、施工者においては操作ハンドル２の取付位置を容易に理解できるという利点がある。なお、図８（ａ）〜（ｄ）にはそれぞれ、スイッチＳＷが装着されていないプレート枠１１、スイッチＳＷを３個装着したプレート枠１１、スイッチＳＷを２個装着したプレート枠１１、スイッチＳＷを１個装着したプレート枠１１を示す。
【図面の簡単な説明】
【００４５】
【図１】本発明の実施形態１の構成を示し、（ａ）はプレート枠の正面図、（ｂ）はスイッチを３個装着したプレート枠の正面図である。
【図２】同上の構成を示し、（ａ）は左側面図、（ｂ）は正面図、（ｃ）は右側面図、（ｄ）は下面図である。
【図３】同上の構成を示し、（ａ）は化粧プレートを外した状態の正面図、（ｂ）は正面図、（ｃ）は右側面図である。
【図４】同上の構成を示し、（ａ）は化粧プレートを外した状態の正面図、（ｂ）は正面図、（ｃ）は右側面図である。
【図５】本発明の実施形態２の構成を示し、（ａ）はプレート枠の正面図、（ｂ）はスイッチを３個装着したプレート枠の正面図、（ｃ）はスイッチを２個装着したプレート枠の正面図、（ｄ）はスイッチを１個装着したプレート枠の正面図である。
【図６】同上の他の構成を示し、（ａ）はプレート枠の正面図、（ｂ）はスイッチを２個装着したプレート枠の正面図、（ｃ）はスイッチを１個装着したプレート枠の正面図である。
【図７】同上の構成を示し、（ａ）はスイッチを３個装着したプレート枠の正面図、（ｂ）は（ａ）の右側面図、（ｃ）は（ａ）の要部Ｘの拡大図、（ｄ）は（ｂ）の要部Ｙの拡大図である。
【図８】同上のさらに他の構成を示し、（ａ）はプレート枠の正面図、（ｂ）はスイッチを３個装着したプレート枠の正面図、（ｃ）はスイッチを２個装着したプレート枠の正面図、（ｄ）はスイッチを１個装着したプレート枠の正面図である。
【図９】従来例を示し、（ａ）は化粧プレートを外した状態の正面図、（ｂ）は操作ハンドルを外した状態の正面図である。
【図１０】従来例を示し、（ａ）は操作ハンドルが取付位置に取り付けられている状態の正面図、（ｂ）は操作ハンドルが取付位置からずれて取り付けられている状態の正面図である。
【図１１】他の従来例を示す正面図である。
【符号の説明】
【００４６】
１  スイッチ用プレート
２  操作ハンドル
２ａ  操作面
３  スイッチ本体
６  器体
１１  プレート枠
１２  化粧プレート
１５  取付窓
２２  露出窓
２３  係止孔（装着手段）
３０  外枠部
Ｃ  センターマーク
Ｌ１〜Ｌ３  線表示部
Ｍ１〜Ｍ３  マーク（位置表示手段）
Ｎ１〜Ｎ３  個数表示部
【図１】
2008159278.tif 000003
【図２】
2008159278.tif 000004
【図３】
2008159278.tif 000005
【図４】
2008159278.tif 000006
【図５】
2008159278.tif 000007
【図６】
2008159278.tif 000008
【図７】
2008159278.tif 000009
【図８】
2008159278.tif 000010
【図９】
2008159278.tif 000011
【図１０】
2008159278.tif 000012
【図１１】
2008159278.tif 000013